(57)【特許請求の範囲】
【請求項１】
受信信号から所望周波数のキャリア成分をバンドパスフィルタで抽出し、そのバンドパスフィルタの出力を検波回路が予め定めるレベルで検出し、検波結果に対応して積分回路が積分動作を行い、その積分出力をコンパレータが予め定める閾値レベルで弁別することによって、キャリアに重畳されたコード信号を復調するようにした受信回路チップにおいて、
基準電流で駆動される第１トランジスタと、該第１トランジスタとカレントミラー回路を構成する第２トランジスタと、該第２トランジスタを流れる電流を調整するトリミング抵抗とを有し、前記第２のトランジスタを流れる電流をバイアス電流とする電流源を備え、
前記バンドパスフィルタは、その中心周波数を前記バイアス電流によって決定する２段のトランスコンダクタンスアンプで構成され、
前記積分回路は、前記バイアス電流を充電電流として用いることを特徴とする受信回路チップ。
【請求項２】
前記検波回路は、その出力積分値をキァリア検出レベルとして前記バンドパスフィルタの出力を検波し、
前記積分回路は、前記キァリア検出レベルとバンドパスフィルタの出力とを相互に比較し、その比較結果に対応して第１の積分容量の充放電を行う第１の積分器と、前記第１の積分容量の充電電圧と予め定める基準電圧とを相互に比較し、その比較結果に対応して第２の積分容量の充放電を行い、前記積分出力として前記コンパレータに出力する第２の積分器とを備えて構成され、少なくとも第２の積分容量への充電電流に、前記バイアス電流を用いることを特徴とする請求項１記載の受信回路チップ。
【請求項３】
前記第１の積分器の積分出力を予め定めるレベルにクランプするクランプ手段をさらに備えることを特徴とする請求項２記載の受信回路チップ。
【発明の詳細な説明】
【０００１】
【発明の属する技術分野】
本発明は、いわゆる赤外線リモコンの受信機等で好適に実施され、キャリアにコード信号が重畳された信号の受信信号から、前記コード信号の復調を行う受信回路チップに関する。
【０００２】
【従来の技術】
図７は典型的な従来技術の赤外線リモコンの受信機１の一構成例を示すブロック図であり、図８はその受信機１の各部の波形図である。この受信機１は、赤外線の送信コード信号を外付けのフォトダイオード２で図８（ａ）で示すような光電流信号ｉｉｎに変換して集積回路化された受信チップ３に入力し、該受信チップ３で復調した図８（ｄ）で示すような出力信号ｒｘｏｕｔを、電子機器を制御するマイコン等に出力するものである。前記赤外線信号は、３０〜６０ｋＨｚ程度の予め定められたキャリアで変調されたＡＳＫ信号である。
【０００３】
前記受信チップ３内で、前記図８（ａ）で示す光電流信号ｉｉｎは、初段アンプ（ＨＡ）４、２段目アンプ（２ｎｄＡＭＰ）５および３段目アンプ（３ｒｄＡＭＰ）６において順次増幅され、キャリアの周波数に適合されているバンドパスフィルタ（ＢＰＦ）７において図８（ｂ）の参照符α１で示すようにキャリア成分が取出される。そして、次段の検波回路８において前記キャリア成分が参照符α２で示す後述するキャリア検出レベルｄｅｔで検波され、さらに積分回路９において図８（ｃ）の参照符α１１で示すようにキャリアのある時間が積分されて、その積分出力ｉｎｔがヒステリシスコンパレータ１０において参照符α１２で示す予め定める弁別レベルと比較されることで、キャリアの有無が判別されて前記図８（ｄ）で示す出力信号ｒｘｏｕｔとしてデジタル出力される。
【０００４】
前記初段アンプ４の出力側にはローパスフィルタ１１が設けられており、これによって蛍光灯や太陽光による直流レベルが検出され、次段の２段目アンプ５では、初段アンプ４の直接の出力からその直流レベル分が除去されて増幅されることで、前記蛍光灯や太陽光等のノイズによる影響が或る程度除去されている。また、前記初段アンプ４に関連してＡＢＣＣ回路１２が設けられており、このＡＢＣＣ回路１２によって前記ローパスフィルタ１１の出力に対応して初段アンプ４の直流バイアスが制御される。さらに、バンドパスフィルタ７に関連して基準電流源１３が設けられており、この基準電流源１３内のｆｏトリミング回路１４における図示しない直列に接続された抵抗の接続点から引出された端子ｔｒｍ１〜ｔｒｍ５間の図示しないツェナダイオードにパルス電流を印加して該ツェナダイオードがトリミングされることによって、バンドパスフィルタ７の中心周波数ｆｏが調整される。
【０００５】
【発明が解決しようとする課題】
上述のように構成される受信機１において、前記ローパスフィルタ１１等によって前記蛍光灯や太陽光等のノイズによる影響は或る程度除去されているけれども、積分回路９が前記ノイズに対する誤動作の低減に最も大きな効果を発揮し、この積分回路９の特性が受信機１全体の特性に微妙な影響を与える。そして、この積分回路９に要求される特性で最も大きなことは積分の立上がり時間に安定性を持たせることであり、この立上がり時間を安定させることで出力信号ｒｘｏｕｔが安定し、前記ノイズに対する誤動作を低減することができる。
【０００６】
図９は、前記受信機１における積分システムの等価回路図である。この積分システムは、前記検波回路８および積分回路９から構成されており、キャリアの検出を行う。検波回路８は、電流出力のアンプ１５によって、容量ｃ１に電流ｉｊ１を充電または電流ｉｆ１を放電させることで、キャリアの有無に応じて前記キャリア検出レベルｄｅｔを決定する回路となっている。すなわち、検波回路８は、電流出力のアンプ１５および容量ｃ１から構成されており、前記図８（ｂ）において、参照符α１で示すバンドパスフィルタ７の出力ｓｉｇと、参照符α２で示す前記キャリア検出レベルｄｅｔとの振幅を相互に比較し、容量ｃ１を、出力ｓｉｇがキャリア検出レベルｄｅｔよりも大きいときは電流ｉｊ１で充電し、出力ｓｉｇがキャリア検出レベルｄｅｔよりも小さいときは電流ｉｆ１で放電させ、大きな時定数で前記キャリア検出レベルｄｅｔを作成する。
【０００７】
また、積分回路９は、電流出力のアンプ１６および容量ｃ２から構成されており、前記バンドパスフィルタ７の出力ｓｉｇとキャリア検出レベルｄｅｔとの振幅を相互に比較し、容量ｃ２を、出力ｓｉｇがキャリア検出レベルｄｅｔよりも大きいときは電流ｉｊ２で充電し、出力ｓｉｇがキャリア検出レベルｄｅｔよりも小さいときは電流ｉｆ２で放電させることで、前記のようにキャリアのある時間を積分して、前記図８（ｃ）の参照符α１１で示す積分出力ｉｎｔとして出力する。
【０００８】
ここで、積分回路９の積分の立上がり時間ｔは、容量ｃ２と、前記充電電流ｉｊ２と、積分のクランプ電圧ｖｉｎｔとによって決定され、
ｔ＝（ｃ２・ｖｉｎｔ）／ｉｊ２
となる。このため、積分回路９が作成する充電電流ｉｊ２がプロセス条件によってばらつくと、前記立上がり時間ｔもばらつくことになり、前記図８（ｃ）の参照符α１１で示す積分出力ｉｎｔが変化し、ヒステリシスコンパレータ１０における弁別結果が安定しないという問題がある。なお、検波回路８のキャリア検出レベルｄｅｔについても同様のことが言えるけれども、少なくともベースバンド（コード信号）成分の周波数の積分出力ｉｎｔに対して、キャリア検出レベルｄｅｔは蛍光灯等の定常的な変化に追従すればよく、前記のように大きな時定数であるので、前記充電電流ｉｊ１のばらつきによる影響は、比較的小さい。
【０００９】
本発明の目的は、積分回路の立上がり時間を安定性させ、ノイズに対する誤動作を低減することができる受信回路チップを提供することである。
【００１０】
【課題を解決するための手段】
本発明の受信回路チップは、受信信号から所望周波数のキャリア成分をバンドパスフィルタで抽出し、そのバンドパスフィルタの出力を検波回路が予め定めるレベルで検出し、検波結果に対応して積分回路が積分動作を行い、その積分出力をコンパレータが予め定める閾値レベルで弁別することによって、キャリアに重畳されたコード信号を復調するようにした受信回路チップにおいて、基準電流で駆動される第１トランジスタと、該第１トランジスタとカレントミラー回路を構成する第２トランジスタと、該第２トランジスタを流れる電流を調整するトリミング抵抗とを有し、前記第２のトランジスタを流れる電流をバイアス電流とする電流源を備え、前記バンドパスフィルタが、その中心周波数を前記バイアス電流によって決定する２段のトランスコンダクタンスアンプで構成され、前記積分回路が、前記バイアス電流を充電電流として用いることを特徴とする。
【００１１】
上記の構成によれば、トランスコンダクタンスアンプから成るバンドパスフィルタは、その中心周波数がバイアス電流値に依存することから、前記バイアス電流値はトリミング抵抗の調整等によって高精度に設定されている。また、トランジスタ、容量および抵抗等の特性のばらつきは、同じウエハ内の各部位やロット内では異なる傾向になることがあっても、チップ内では略同じ傾向になり、本発明ではバンドパスフィルタと積分回路とが同じチップであるので、それらの回路間でのトランジスタ等の特性のばらつきは同じ傾向で表れる。
【００１２】
したがって、たとえばバンドパスフィルタのカレントミラー回路と並列に積分回路のカレントミラー回路を設け、エミッタ面積比などによって、バンドパスフィルタのバイアス電流を積分回路に所望の比率で取込み、共通に用いるようにすると、積分電流が高精度に設定されて積分回路の立上がり時間が安定し、コンパレータでの弁別エラーを低減し、ノイズに対する誤動作を低減することができる。
【００１３】
また、本発明の受信回路チップでは、前記検波回路は、その出力積分値をキァリア検出レベルとして前記バンドパスフィルタの出力を検波し、前記積分回路は、前記キァリア検出レベルとバンドパスフィルタの出力とを相互に比較し、その比較結果に対応して第１の積分容量の充放電を行う第１の積分器と、前記第１の積分容量の充電電圧と予め定める基準電圧とを相互に比較し、その比較結果に対応して第２の積分容量の充放電を行い、前記積分出力として前記コンパレータに出力する第２の積分器とを備えて構成され、少なくとも第２の積分容量への充電電流に、前記バイアス電流を用いることを特徴とする。
【００１４】
上記の構成によれば、検波回路は、バンドパスフィルタの出力を、その振幅レベルやキャリア密度に応じて積分し、キャリア検出レベルを作成する。したがって、キャリアに重畳されるノイズに対しては検波回路が応答し、該検波回路が作成するキャリア検出レベルが上昇する。一方、前記積分回路において、第１の積分器は検出すべきキャリア周波数のパルスをグループで検出し、第２の積分器は前記第１の積分器によって前記パルスのグループが検出されている時間を積分し、その積分出力を前記コンパレータへ出力する。
【００１５】
したがって、２段階で積分することで、最終の積分出力を安定させ、コンパレータでの弁別を一層安定して行うことができる。
【００１６】
さらにまた、本発明の受信回路チップは、前記第１の積分器の積分出力を予め定めるレベルにクランプするクランプ手段をさらに備えることを特徴とする。
【００１７】
上記の構成によれば、第１の積分器の積分出力がクランプされるので、バンドパスフィルタの出力が蛍光灯ノイズ等でキャリア検出レベルを長時間に亘って超えていても、バンドパスフィルタの出力がキャリア検出レベル以下となると、直ちに第２の積分器の積分出力が立上がり、これによってもまた、立上がり時間を一定にすることができる。
【００１８】
【発明の実施の形態】
本発明の実施の一形態について、図１〜図６に基づいて説明すれば、以下のとおりである。
【００１９】
図１は、本発明の実施の一形態の赤外線リモコンの受信機２１の構成を示すブロック図であり、図２はその受信機２１の各部の波形図である。この受信機２１は、赤外線の送信コード信号を外付けのフォトダイオード２２で図２（ａ）で示すような光電流信号Ｉｉｎに変換して集積回路化された受信チップ２３に入力し、該受信チップ２３で復調した図２（ｅ）で示すような出力信号ＲＸＯＵＴを、電子機器を制御するマイコン等に出力するものである。前記赤外線信号は、たとえば３０〜６０ｋＨｚ程度の予め定められたキャリアで変調されたＡＳＫ信号である。
【００２０】
前記受信チップ２３内で、前記図２（ａ）で示す光電流信号Ｉｉｎは、初段アンプ（ＨＡ）２４、２段目アンプ（２ｎｄＡＭＰ）２５および３段目アンプ（３ｒｄＡＭＰ）２６において順次増幅され、キャリアの周波数に適合されているバンドパスフィルタ（ＢＰＦ）２７において図２（ｂ）の参照符β１で示すようにキャリア成分が取出される。そして、次段の検波回路２８において前記キャリア成分が参照符β２で示す後述するキャリア検出レベルＤｅｔで検波され、さらに積分回路２９において図２（ｄ）の参照符β１１で示すようにキャリアのある時間が積分されて、その積分出力Ｉｎｔがヒステリシスコンパレータ３０において参照符β１２で示す予め定める弁別レベルと比較されることで、キャリアの有無が判別されて前記図２（ｅ）で示す出力信号ＲＸＯＵＴとしてデジタル出力される。
【００２１】
前記初段アンプ２４の出力側にはローパスフィルタ３１が設けられており、これによって蛍光灯や太陽光による直流レベルが検出され、次段の２段目アンプ２５では、初段アンプ２４の直接の出力からその直流レベル分が除去されて増幅されることで、前記蛍光灯や太陽光等のノイズによる影響が或る程度除去されている。また、前記初段アンプ２４に関連してＡＢＣＣ回路３２が設けられており、このＡＢＣＣ回路３２によって前記ローパスフィルタ３１の出力に対応して初段アンプ２４の直流バイアスが制御される。さらに、バンドパスフィルタ２７に関連して基準電流源３３が設けられており、この基準電流源３３内のｆｏトリミング回路３４における図示しない直列に接続された抵抗の接続点から引出された端子ＴＲＭ１〜ＴＲＭ５間の図示しないツェナダイオードにパルス電流を印加して該ツェナダイオードがトリミングされることによって、バンドパスフィルタ２７の中心周波数ｆｏが調整される。また、トリミング後には、所望とするツェナダイオードが短絡されているかが、端子ＴＲＭ１〜ＴＲＭ５間の抵抗値を測定することで検査される。
【００２２】
上述のような構成は、前述の受信機１と同様であるけれども、注目すべきは、本発明では、バンドパスフィルタ２７は、その通過帯域をバイアス電流Ｉｂａｉａｓ１によって設定することができるトランスコンダクタンスアンプで構成するとともに、そのバイアス電流Ｉｂａｉａｓ１を作成する基準電流源３３によって、前記積分回路２９のバイアス電流Ｉｂａｉａｓ２を作成することである。
【００２３】
図３は、バンドパスフィルタ２７から積分システムまでの等価回路図である。前記積分システムは、前記検波回路２８および積分回路２９から構成されており、キャリアの検出を行う。検波回路２８は、前述の検波回路８と同様に、電流出力のアンプ３５によって、容量Ｃ１に電流Ｉｊ１を充電または電流Ｉｆ１を放電させることで、キャリアの有無に応じて前記キャリア検出レベルＤｅｔを決定する回路となっている。すなわち、検波回路２８は、電流出力のアンプ３５および容量Ｃ１から構成されており、前記図２（ｂ）において、参照符β１で示すバンドパスフィルタ２７の出力Ｓｉｇと、参照符β２で示す前記キャリア検出レベルＤｅｔとの振幅を相互に比較し、容量Ｃ１を、出力Ｓｉｇがキャリア検出レベルＤｅｔよりも大きいときは電流Ｉｊ１で充電し、出力Ｓｉｇがキャリア検出レベルＤｅｔよりも小さいときは電流Ｉｆ１で放電させ、大きな時定数で前記キャリア検出レベルＤｅｔを作成する。
【００２４】
一方、積分回路２９は、電流出力のアンプ３６，３７およびそれぞれのアンプ３６，３７に対応した容量Ｃ２１，Ｃ２２から成る２段の積分器で構成されている。先ず、アンプ３６は、前記バンドパスフィルタ２７の出力Ｓｉｇとキャリア検出レベルＤｅｔとの振幅を相互に比較し、容量Ｃ２１を、出力Ｓｉｇがキャリア検出レベルＤｅｔよりも小さいときは電流Ｉｊ２１で充電し、出力Ｓｉｇがキャリア検出レベルＤｅｔよりも大きいときは電流Ｉｆ２１で放電させることで、図２（ｃ）において、参照符β２１で示す積分出力Ｉｎｔａとして出力する。
【００２５】
アンプ３７は、前記アンプ３６の積分出力Ｉｎｔａと、前記図２（ｃ）において参照符β２２で示す予め定める基準値Ｒｅｆとの振幅を相互に比較し、容量Ｃ２２を、積分出力Ｉｎｔａが基準値Ｒｅｆよりも大きいときは電流Ｉｊ２２で充電し、積分出力Ｉｎｔａが基準値Ｒｅｆよりも小さいときは電流Ｉｆ２２で放電させる。したがって、前記図２（ｃ）で参照符β２１で示すようにキャリア周波数で変動する積分出力Ｉｎｔａから、定電流Ｉｊ２１，Ｉｆ２１での充放電による前記図２（ｄ）の参照符β１１で示すようなベースバンド（コード信号）成分の周波数で変動する積分出力Ｉｎｔを得ることができる。
【００２６】
たとえば、赤外線リモコンの場合、キャリア周波数は標準的に４０ｋＨｚ付近であり、それに対してベースバンド（コード信号）成分の周波数は１ｋＨｚ程度である。したがって、積分出力Ｉｎｔを作成する部分の応答に対するマージンを１桁以上改善することができる。すなわち、キャリア周波数には高速のアンプ３６が応答し、積分出力Ｉｎｔを作成するアンプ３７は、前記ベースバンド（コード信号）成分の応答速度でよく、高インピーダンスとして、前記電流Ｉｊ２２，Ｉｆ２２として、１００ｐＡオーダー程度の微少な電流を使用して、長時間の放電時定数を持たせている。
【００２７】
そして、バンドパスフィルタ２７へのバイアス電流Ｉｂａｉａｓ１と同様にして、基準電流源３３において作成されたバイアス電流Ｉｂａｉａｓ２を、少なくとも大きい時定数のアンプ３７の充電電流Ｉｊ２２の基準電流として用いる。バンドパスフィルタ２７は、たとえば図３で示すように、トランスコンダクタンスアンプ４１，４２と、高入力インピーダンスのバッファ４３，４４と、コンデンサＣ３１，Ｃ３２とを備えて構成されている。トランスコンダクタンスアンプ４１は、基準電圧Ｖｒｅｆと出力Ｓｉｇとの差分を増幅してバッファ４３へ出力し、バッファ４３の入力にはまた、コンデンサＣ３１を介してアンプ２６の出力が与えられる。トランスコンダクタンスアンプ４２は、バッファ４３の出力と出力Ｓｉｇとの差分を増幅し、バッファ４４を介して前記出力Ｓｉｇとして出力し、バッファ４４の入力はまた、コンデンサＣ３２を介して接地されている。
【００２８】
図４は、バンドパスフィルタ２７の具体的構成を示す電気回路図である。図４の構成において、図３の構成に対応する部分には同一の参照符号を付して示す。トランスコンダクタンスアンプ４１は、ベースに前記出力Ｓｉｇおよび基準電圧Ｖｒｅｆがそれぞれ与えられ、差動対を構成するトランジスタＱ１，Ｑ２と、そのトランジスタＱ１，Ｑ２のコレクタに電源から相互に等しい電流をそれぞれ供給するトランジスタＱ３，Ｑ４と、前記トランジスタＱ１，Ｑ２のエミッタ抵抗ＲＥ１，ＲＥ２と、前記エミッタ抵抗ＲＥ１，ＲＥ２が共通に接続され、トランジスタＱ１，Ｑ２のエミッタから定電流２Ｉｅを引抜く定電流源Ｆ１と、トランジスタＱ１，Ｑ２のコレクタにそれぞれベースが接続され、差動対を構成するトランジスタＱ５，Ｑ６と、トランジスタＱ５，Ｑ６のエミッタが共通に接続され、定電流２Ｉｂを引抜く定電流源Ｆ２と、トランジスタＱ６のコレクタからの電流出力を取出すトランジスタＱ７〜Ｑ９、ダイオードＤ１および定電流源Ｆ３とを備えて構成されている。
【００２９】
したがって、出力Ｓｉｇと基準電圧Ｖｒｅｆとの差が２段の差動対で増幅され、トランジスタＱ６のコレクタ電流として、前記差に対応した電流をΔＩとすると、Ｉｂ−ΔＩの電流が出力される。この電流がトランジスタＱ７，Ｑ８のカレントミラー回路によって折返され、さらに定電流源Ｆ３によって定電流Ｉｂが減算されることによって、バッファ４３には前記電流ΔＩが入力される。
【００３０】
バッファ４３は、ベースに前記電流ΔＩが入力され、コレクタが接地されるトランジスタＱ１１と、トランジスタＱ１１のエミッタにコレクタが接続され、エミッタがハイレベルの電源に接続され、後述するように定電流を供給するトランジスタＱ１２とを備えて構成されており、トランジスタＱ１１，Ｑ１２の接続点間から出力が導出され、トランスコンダクタンスアンプ４２に与えられる。
【００３１】
トランスコンダクタンスアンプ４２は、前述のトランスコンダクタンスアンプ４１と同様に構成され、対応する部分には、同一の参照符号に添字ａを付して示し、その説明を省略する。トランジスタＱ１ａのベースにはバッファ４３の出力が与えられ、トランジスタＱ２ａのベースには前記出力Ｓｉｇが与えられ、トランジスタＱ９ａと定電流源Ｆ３ａとの接続点から、バッファ４４へ出力が導出される。
【００３２】
バッファ４４は、前記トランジスタＱ１１，Ｑ１２にそれぞれ対応するトランジスタＱ１１ａ，Ｑ１２ａと、出力増幅用のトランジスタＱ１３，Ｑ１４と、出力電流の電圧変換用の抵抗Ｒ１，Ｒ２と、出力電圧クランプ用の抵抗Ｒ３およびダイオードＤ２，Ｄ３と、定電流源Ｆ４とを備えて構成されている。トランジスタＱ１４からの出力Ｓｉｇの電流は、抵抗Ｒ１，Ｒ２によって電圧変換されて前記トランジスタＱ１のベースに与えられ、また抵抗Ｒ１によって電圧変換されて前記トランジスタＱ２ａのベースに与えられ、これに対してトランジスタＱ１３と定電流源Ｆ４との接続点からの基準電圧Ｖｒｅｆは、前記トランジスタＱ２のベースに与えられる。トランジスタＱ１４からの出力Ｓｉｇには前記基準電圧Ｖｒｅｆ分が含まれており、こうしてトランジスタＱ１，Ｑ２のベース間には、出力Ｓｉｇから基準電圧Ｖｒｅｆを減算した変動分が入力されることになる。
【００３３】
バンドパスフィルタ２７にはまた、定電流源Ｆ５とトランジスタＱ１５とから成る基準電流回路４５が設けられており、定電流源Ｆ５による定電流ＩｂがトランジスタＱ１５とカレントミラー回路を構成する前記トランジスタＱ１２，Ｑ１２ａから供給されることになり、またトランジスタＱ３，Ｑ４；Ｑ３ａ，Ｑ４ａのベース電位がこのトランジスタＱ１５のベース電位に固定される。
【００３４】
このように構成されるバンドパスフィルタ２７において、前記定電流源Ｆ１，Ｆ１ａにおける定電流２Ｉｅ、定電流源Ｆ４における定電流Ｉｅ、定電流源Ｆ２，Ｆ２ａにおける定電流２Ｉｂおよび定電流源Ｆ３，Ｆ３ａ，Ｆ５における定電流Ｉｂが、前記参照符Ｉｂａｉａｓ１で総称して示す基準電流源３３によるバイアス電流である。
【００３５】
一方、図５は、前記積分回路２９の一構成例の電気回路図である。この積分回路２９には、前記アンプ３６，３７および容量Ｃ２１，Ｃ２２とともに、前記基準電流源３３からのバイアス電流Ｉｂａｉａｓ２に基づいて前記アンプ３６，３７に電流供給を行うバイアス電流回路３８と、基準電圧源３９とが設けられている。
【００３６】
アンプ３６は、ベースに前記バンドパスフィルタ２７の出力Ｓｉｇおよびキャリア検出レベルＤｅｔがそれぞれ与えられ、差動対を構成するトランジスタＱＰ１，ＱＰ２と、そのトランジスタＱＰ１，ＱＰ２のコレクタから相互に等しい電流をそれぞれ引抜くトランジスタＱＮ１，ＱＮ２と、前記トランジスタＱＰ１，ＱＰ２のエミッタが共通に接続され、前記バイアス電流Ｉｂａｉａｓ２と等しい電流を与えるトランジスタＱＰ３と、前記トランジスタＱＮ２のコレクタ電位に応じて前記容量Ｃ２１から電流Ｉｆ２１を引抜く抵抗Ｒ２１およびトランジスタＱＮ３と、前記容量Ｃ２１に前記バイアス電流Ｉｂａｉａｓ２と等しい前記定電流Ｉｊ２１を供給するトランジスタＱＰ４と、後述のように容量Ｃ２１の電位を基準電圧源３９の電圧Ｖｒｅｆとそのベース−エミッタ間電圧Ｖｂｅ（ＱＰ５）との和の電圧にクランプするトランジスタＱＰ５とを備えて構成される。
【００３７】
バイアス電流回路３８は、前記バイアス電流Ｉｂａｉａｓ２によって駆動されるトランジスタＱＰ６〜ＱＰ８，ＱＮ４および抵抗Ｒ２２を備えて構成されており、トランジスタＱＰ７とカレントミラー回路を構成する前記トランジスタＱＰ３，ＱＰ４には前記バイアス電流Ｉｂａｉａｓ２と等しい電流が供給され、トランジスタＱＮ４とカレントミラー回路を構成する後述のアンプ３７のトランジスタＱＮ６には、トランジスタＱＮ４，ＱＮ６のエミッタ面積比が３：１であるから、前記バイアス電流Ｉｂａｉａｓ２の１／３の電流が供給される。
【００３８】
アンプ３７は、ベースに前記容量Ｃ２１の電位、したがってトランジスタＱＮ３のコレクタ電位であるアンプ３６の積分出力Ｉｎｔａおよび基準電圧源４０からの前記基準値Ｒｅｆがそれぞれ与えられ、差動対を構成するトランジスタＱＮ７，ＱＮ８と、そのトランジスタＱＮ７，ＱＮ８のエミッタが共通に接続され、前記トランジスタＱＮ４とカレントミラー回路を構成し、前記Ｉｂａｉａｓ２／３の電流を引抜くトランジスタＱＮ６と、前記トランジスタＱＮ７，ＱＮ８のコレクタ電流をそれぞれ取出すトランジスタＱＰ１０，ＱＰ１１と、トランジスタＱＰ１０とカレントミラー回路を構成し、トランジスタＱＮ７のコレクタ電流を折返すトランジスタＱＰ９と、カレントミラー回路を構成し、前記トランジスタＱＰ９のコレクタ電流を折返して前記容量Ｃ２２から電流Ｉｆ２２を引抜くトランジスタＱＮ５，ＱＮ９と、トランジスタＱＰ１１とカレントミラー回路を構成し、トランジスタＱＮ８のコレクタ電流を折返して前記容量Ｃ２２へ電流Ｉｊ２２を供給するトランジスタＱＰ１２と、容量Ｃ２２の電位を前記基準電圧源３９の電圧Ｖｒｅｆとそれらのベース−エミッタ間電圧Ｖｂｅ（ＱＰ１３）および順方向電圧Ｖｂｅ（ＱＮ１１）との和の電圧にクランプするトランジスタＱＰ１３およびダイオードＱＮ１１とを備えて構成される。
【００３９】
したがって、バンドパスフィルタ２７の出力Ｓｉｇがキャリア検出レベルＤｅｔを超えると、トランジスタＱＰ１がＯＦＦし、トランジスタＱＰ２がＯＮして、該トランジスタＱＰ２が抵抗Ｒ２１を介してトランジスタＱＮ３にベース電流を供給し、トランジスタＱＰ４からの電流Ｉｊ２１と基準電圧源３９およびトランジスタＱＰ５とによって電圧がＶｒｅｆ＋Ｖｂｅ（ＱＰ５）にクランプされていた容量Ｃ２１から、電流Ｉｆ２１が放電されてゆく。そして、基準値Ｒｅｆ以下に低下すると、トランジスタＱＮ７がＯＦＦし、これによってトランジスタＱＰ１０，ＱＰ９，ＱＮ５，ＱＮ９もＯＦＦし、容量Ｃ２２からの電流Ｉｆ２２の放電が停止するとともに、トランジスタＱＮ８がＯＮし、これによってトランジスタＱＰ１１，ＱＰ１２もＯＮし、容量Ｃ２２へ電流Ｉｊ２２の充電が開始される。この充電は、容量Ｃ２２の電圧が、Ｖｃｃ−Ｖｂｅ（ＱＰ１２）となるまで行われ、到達すると、その電位に維持される。
【００４０】
これに対して、バンドパスフィルタ２７の出力Ｓｉｇがキャリア検出レベルＤｅｔ以下となると、トランジスタＱＰ１がＯＮし、トランジスタＱＰ２，ＱＮ３がＯＦＦして、容量Ｃ２１はトランジスタＱＰ４からの電流Ｉｊ２１で充電されてゆき、やがて電圧がＶｒｅｆ＋Ｖｂｅ（ＱＰ５）にクランプされる。そして、前記基準値Ｒｅｆを超えた時点で、トランジスタＱＮ７がＯＮし、これによってトランジスタＱＰ１０，ＱＰ９，ＱＮ５，ＱＮ９もＯＮし、容量Ｃ２２からの電流Ｉｆ２２の放電が開始されるとともに、トランジスタＱＮ８がＯＦＦし、これによってトランジスタＱＰ１１，ＱＰ１２もＯＦＦし、容量Ｃ２２への電流Ｉｊ２２の充電が停止される。このようにして、キャリアの有無に応じて、容量Ｃ２２への充放電が行われる。
【００４１】
図６は、前記基準電流源３３の一構成例の電気回路図である。基準電流源３３は、予め作成される基準電流Ｉｏで駆動されるトランジスタＱ３１，Ｑ３２および抵抗Ｒ１１と、前記トランジスタＱ３２とカレントミラー回路構成するトランジスタＱ３３と、トランジスタＱ３３を流れる電流を調整するためのトリミング抵抗Ｒｆｏと、前記トランジスタＱ３２とカレントミラー回路構成するトランジスタＱ３４と、トランジスタＱ３４を流れる電流を調整する抵抗Ｒ１２とを備えて構成されており、トランジスタＱ３３を流れる電流が定電流源Ｆ１１から前記定電流Ｉｂとして供給され、トランジスタＱ３４を流れる電流が定電流源Ｆ１２から前記定電流Ｉｅとして供給される。定電流源Ｆ１１による定電流Ｉｂは、カレントミラー回路などによって前記定電流源Ｆ２，Ｆ２ａ；Ｆ３，Ｆ３ａ，Ｆ５に供給され、定電流源Ｆ１２による定電流Ｉｅは、カレントミラー回路などによって前記定電流源Ｆ１，Ｆ１ａ；Ｆ４に供給される。また、前記定電流Ｉｂは、カレントミラー回路などによって前記バイアス電流回路３８へのバイアス電流Ｉｂａｉａｓ２として供給される。
【００４２】
上述のように構成される受信チップ２３において、トランスコンダクタンスアンプ４１，４２のトランスコンダクタンスｇｍは、抵抗ＲＥの抵抗値を参照符と同一で表すとき、
ｇｍ＝（Ｉｂ／Ｉｅ）・（１／ＲＥ）
で表すことができる。そして、バンドパスフィルタ２７の中心周波数ｆｏは、トランスコンダクタンスアンプ４１，４２のトランスコンダクタンスをそれぞれｇｍ１，ｇｍ２とし、コンデンサＣ３１，Ｃ３２の静電容量を参照符と同一で表すとき、
【００４３】
【数１】
0003617818.tif 000002
【００４４】
で表される。
【００４５】
したがって、ｇｍ１＝ｇｍ２、Ｃ３１＝Ｃ３２＝Ｃとすると、
ｆｏ＝ｇｍ／（２π・Ｃ）
となり、
ｆｏ＝｛１／（２π・Ｃ・ＲＥ）｝・（Ｉｂ／Ｉｅ）
が得られる。
【００４６】
以上のことから、前記トランスコンダクタンスｇｍは、前記定電流ＩｅとＩｂとの相対的な比で調整することができ、したがって基準電流源３３における抵抗Ｒ１２の抵抗値に対して、トリミング抵抗Ｒｆｏの抵抗値を相対的に調整することによって、前記トランスコンダクタンスｇｍ、したがって前記中心周波数ｆｏを調整することができ、
ｆｏ∝１／（Ｃ・Ｒｆｏ）
と表すことができる。
【００４７】
このため、基準電流源３３にはトリミング抵抗Ｒｆｏから成るｆｏトリミング回路３４が設けられ、定電流Ｉｂが高精度に設定されている。本発明では、この定電流Ｉｂをバイアス電流Ｉｂａｉａｓ２として、少なくとも大きい時定数のアンプ３７の（図５の構成では小さい時定数のアンプ３６も）基準電流として用いる。これによって、アンプ３７と容量Ｃ２２とによって構成される第２の積分器の積分の立上がり時間Ｔは、
0003617818.tif 000003
となる。ただし、Ｖｉｎｔは、積分のクランプ電圧であり、Ｖｒｅｆ＋Ｖｂｅ（ＱＰ１３）＋Ｖｂｅ（ＱＮ１１）である。また、Ｖｆｏは、トリミング抵抗Ｒｆｏの端子間電圧である。
【００４８】
以上のようにして、本発明では、トリミング抵抗Ｒｆｏによって高精度に設定される定電流Ｉｂを、第２の積分器の充電電流Ｉｊ２２となるバイアス電流Ｉｂａｉａｓ２として用いている。また、トランジスタ、容量および抵抗等の特性のばらつきは、同じウエハ内の各部位やロット内では異なる傾向になることがあっても、チップ内では略同じ傾向になり、本発明ではバンドパスフィルタ２７と積分回路２９とが同じ受信チップ２３内であるので、それらの回路間でのトランジスタ等の特性のばらつきは同じ傾向で表れる。したがって、積分回路２９内の積分電流Ｉｊ２２が高精度に設定され、積分の立上がり時間Ｔを一定にして、ヒステリシスコンパレータ３０での弁別エラーを低減し、ノイズに対する誤動作を低減することができる。
【００４９】
なお、バンドパスフィルタ２７の中心周波数ｆｏが低い場合は、トランジスタＱＮ４の個数（エミッタ面積）を、トランジスタＱＮ６に対して２：１にするとともに、トリミング抵抗Ｒｆｏの抵抗値を変更するなどして、対応することができる。また、前記立上がり時間Ｔも、トランジスタＱＮ４の個数（エミッタ面積）によって調整することができる。さらにまた、積分のクランプ電圧Ｖｉｎｔは、ダイオードＱＮ１１の個数によって調整することができる。
【００５０】
また、積分回路２９を２段の積分器で構成し、第１の積分器は検出すべきキャリア周波数のパルスをグループで検出し、第２の積分器は前記第１の積分器によって前記パルスのグループが検出されている時間を積分し、その積分出力Ｉｎｔを前記ヒステリシスコンパレータ３０へ出力するので、最終の積分出力Ｉｎｔを安定させ、ヒステリシスコンパレータ３０での弁別を一層安定して行うことができる。
【００５１】
さらにまた、バンドパスフィルタ２７の出力Ｓｉｇがキャリア検出レベルＤｅｔを長時間に亘って超えていても、容量Ｃ２１の電圧、すなわち積分出力ＩｎｔａはＶｒｅｆ＋Ｖｂｅ（ＱＰ５）にクランプされるので、出力Ｓｉｇがキャリア検出レベルＤｅｔ以下となると、直ちに積分出力Ｉｎｔが立上がるので、これによってもまた、立上がり時間Ｔを一定にすることができる。
【００５２】
【発明の効果】
本発明の受信回路チップは、以上のように、赤外線リモコンの受信機などとして実現される受信回路チップにおいて、バンドパスフィルタが、その中心周波数をトリミング抵抗の調整によって高精度に設定されているバイアス電流によって決定する２段のトランスコンダクタンスアンプで構成され、積分回路が、前記バイアス電流を充電電流として用いる。
【００５３】
それゆえ、積分電流が高精度に設定されて積分回路の立上がり時間が安定し、コンパレータでの弁別エラーを低減し、ノイズに対する誤動作を低減することができる。
【００５４】
また、本発明の受信回路チップは、以上のように、積分回路は２段階で積分を行う。
【００５５】
それゆえ、積分出力を安定させ、コンパレータでの弁別を一層安定して行うことができる。
【００５６】
さらにまた、本発明の受信回路チップは、以上のように、第１の積分器の積分出力を予め定めるレベルにクランプするクランプ手段をさらに備える。
【００５７】
それゆえ、バンドパスフィルタの出力が蛍光灯ノイズ等でキャリア検出レベルを長時間に亘って超えていても、バンドパスフィルタの出力がキャリア検出レベル以下となると、直ちに第２の積分器の積分出力が立上がり、これによってもまた、立上がり時間を一定にすることができる。
【図面の簡単な説明】
【図１】本発明の実施の一形態の赤外線リモコンの受信機の構成を示すブロック図である。
【図２】図１で示す受信機の各部の波形図である。
【図３】図１で示す受信機におけるバンドパスフィルタから積分システムまでの等価回路図である。
【図４】バンドパスフィルタの具体的構成を示す電気回路図である。
【図５】積分回路の一構成例の電気回路図である。
【図６】基準電流源の一構成例の電気回路図である。
【図７】典型的な従来技術の赤外線リモコンの受信機の一構成例を示すブロック図である。
【図８】図７で示す受信機の各部の波形図である。
【図９】図７の受信機における積分システムの等価回路図である。
【符号の説明】
２１    赤外線リモコンの受信機
２２    フォトダイオード
２３    受信チップ（受信回路チップ）
２４    初段アンプ（ＨＡ）
２５    ２段目アンプ（２ｎｄＡＭＰ）
２６    ３段目アンプ（３ｒｄＡＭＰ）
２７    バンドパスフィルタ（ＢＰＦ）
２８    検波回路
２９    積分回路
３０    ヒステリシスコンパレータ（コンパレータ）
３１    ローパスフィルタ
３２    ＡＢＣＣ回路
３３    基準電流源
３４    ｆｏトリミング回路
３５    アンプ
３６    アンプ（第１の積分器）
３７    アンプ（第２の積分器）
３８    バイアス電流回路
３９    基準電圧源
４１，４２    トランスコンダクタンスアンプ
４３，４４    バッファ
４５    基準電流回路
Ｃ２１    容量（第１の積分容量）
Ｃ２２    容量（第２の積分容量）
Ｃ３１，Ｃ３２    コンデンサ
Ｄ１〜Ｄ３，Ｄ１ａ    ダイオード
Ｆ１〜Ｆ５，Ｆ１ａ〜Ｆ３ａ    定電流源
Ｆ１１，Ｆ１２    定電流源
Ｑ１〜Ｑ９，Ｑ１１〜Ｑ１５    トランジスタ
Ｑ１ａ〜Ｑ９ａ，Ｑ１１ａ，Ｑ１２ａ    トランジスタ
Ｑ３１〜Ｑ３４    トランジスタ
Ｒ１〜Ｒ３    抵抗
Ｒ１１，Ｒ１２    抵抗
Ｒ２１，Ｒ２２    抵抗
ＲＥ１，ＲＥ２    エミッタ抵抗
ＱＰ１〜ＱＰ４，ＱＰ６〜ＱＰ１３    トランジスタ
ＱＰ５    トランジスタ（クランプ手段）
ＱＮ１〜ＱＮ９    トランジスタ
ＱＮ１１    ダイオード
Ｒｆｏ    トリミング抵抗
【図１】
0003617818.tif 000004
【図２】
0003617818.tif 000005
【図３】
0003617818.tif 000006
【図４】
0003617818.tif 000007
【図５】
0003617818.tif 000008
【図６】
0003617818.tif 000009
【図７】
0003617818.tif 000010
【図８】
0003617818.tif 000011
【図９】
0003617818.tif 000012